(57)【要約】      （修正有）【課題】マスク本体にフィルター素材を装備（挿入）でき、ファッション性、機能性、衛生面にも優れたマスクを提供する。【解決手段】ファッションマスクＹはマスク本体Ｙ１に収納室Ｃを設けており、背面の開口部Ｂ１より収納室Ｃへフィルター素材を挿入できる。装着時は、正面の前身上部及び前身下部を上下方向へ拡張させることにより正面に設けた前方方向へ突起する形状のプリーツ及び遮蔽された拡張部も同調して張り出し拡張する。更に、背面の上背部Ｂ２及び下背部Ｂ３も同調し、拡張し、開口部Ｂ１は口型形状に開口し呼吸口となる。フィルター素材を収納室Ｃに挿入し着用した場合、そのフィルター素材は収納室Ｃに保持され、開口部Ｂ１は口型に開口しフィルター素材が直接呼吸口となることで衛生的でありファッション性にも優れ、更にフィルター素材の性能を持ち得たマスクとなる。【選択図】図５
0003229206.tif 000002
【実用新案登録請求の範囲】
【請求項１】
マスク本体の正面には前方へ突起し拡張する形状型のプリーツを設ける。装着時、遮蔽された拡張部及び前身上部及び前身下部及び背面上背部及び下背部は上下方向へ拡張し、鼻、及び、口、を広く覆うことのできる立体形状である。マスク本体には呼吸口、兼、フィルター素材を装備（挿入）できる袋状の収納室を設け、その開口部は背面に有し、左右一文字状であり、フィルター素材も本体内部へ装備（挿入）可能なファッションマスクである。
【請求項２】
前記ファッションマスクは、通気性を有した繊維製品及び不織布素材などで創作され、ファッション性を求めた色や模様、装飾、等を施されていることを特徴とする請求項１に記載したファッションマスク。
【請求項３】
前記ファッションマスクは、フィルター素材を収納室へ装備（挿入）し顔面へ装着した場合、背面のみに設けられた開口部を有する収納室へフィルター素材が保持されるため、外見からそのフィルター素材が装備（挿入）されているさまを視認できない形状からなることを特徴とする請求項１または２に記載のファッションマスク。
【請求項４】
前記ファッションマスクは、フィルター素材を収納室へ装備（挿入）し顔面へ装着した場合、開口部は口型に大きく開口する構造で、装備されたフィルター素材は直接呼吸口のフィルターとなり、衛生的、且つ、通気性に優れた特徴を有する請求項１〜３に記載のファッションマスク。
【請求項５】
前記ファッションマスクは、マスク本体の内部全域にほぼ等しく収納室を設けており、マスク本体の外寸にほぼ等しいサイズのフィルター素材を装備（挿入）することも可能な特徴を有した請求項１〜４に記載のファッションマスク。
【請求項６】
前記ファッションマスクは、布製、不織布性マスクにも使用されている、耳掛けひも、及び、耳かけゴム、などをマスク本体左右に設け、片方ずつ両耳へかけ、装着できる形状である本体形状を有したマスクであることを特徴とする請求項１〜５に記載のファッションマスク。
【請求項７】
前記ファッションマスクは、収納室の開口部分の形状を背面上部及び背面下部を突き合わせた左右一文字形状で設けることにより、フィルター素材の装脱を容易にできる。更に、使用前での開口部は閉扉されており、装着時のみ開口し、着脱時には閉扉でき、空気中の浮遊物などの侵入を軽減できるため、衛生面にも優れた特徴を有する請求項１〜６に記載のファッションマスク。
【請求項８】
前記ファッションマスクは、使用する素材にもよるが、洗濯可能な形状であり、衛生的であり、その素材の場合、洗濯後も繰り返し使用可能であることを特徴とする請求項１〜７に記載のファッションマスク。
【考案の詳細な説明】
【技術分野】
【０００１】  本考案は、フィルター素材も本体内部へ装備（挿入）することもできるマスクに関する。
【背景技術】
【０００２】  一般的な市販品不織布マスクに比べ、布製マスクの場合、ファッション性は高いが、性能（花粉、ウイルス、細菌、の、ろ過機能など）に優れていなかった。
【考案の概要】
【考案が解決しようとする課題】
【０００３】  従来の市販品不織布マスクは性能及び機能重視であり、白色など単調なデザインなものが多く、安価なものが一般的である。布性マスクはファッション性には長けながらも比較的安価ではあるが、性能や機能性に優れたものは高価なものが多い。従って、安価で高機能及び高性能な市販品不織布マスクとファッション性に長けた安価な布製マスクを一体化することによりファッション性に優れ、性能及び機能にも長けた安価なマスクとなり、前途の欠点を解決しようとする。
【課題を解決するための手段】
【０００４】  本考案のファッションマスクは、マスク本体にフィルター効果を有する素材等を収納することも可能な収納室を設ける。構造としては背面部より挿入可能な開口部を設け、正面には拡張するためのプリーツを設け、一般的な市販品不織布マスクなどと等しく基本的な形状を保持する。且つ、挿入口でもある開口部の形状は背面上部及び背面下部が突き合わされた一文字構造にすることで、装着時、開口部は上下方向へ口型に開口し収納室に装備されたフィルター素材は直接的に呼吸口となることで問題点を解決している。
【考案の効果】
【０００５】  本考案のファッションマスクは、フィルター素材を装備せず使用可能であることは勿論、その場合はファッション性にも優れた飛沫防止マスクとして使用できる。尚、フィルター素材を本体へ装備（挿入）し顔面へ装着した場合であっても、本体の構造上、フィルター素材無装備（挿入）時と外観を変えることがないため、ファッション的容姿を損なうことなく、機能及び性能にも優れたマスクとなる。本考案ファッションマスクの構造は比較的簡略であり、量産も可能である。結果、比較的安価での販売も可能になるため、ユーザの購入意欲も誘発する効果を有する。そして、マスク着用者が増加することでウイルス感染者を抑制することにも役に立つマスクである。
【図面の簡単な説明】
【０００６】
【図１】本考案のファッションマスクの一実施例を示す未装着時の正面図である。
【図２】未装着時の背面図である。
【図３】図１のマスク本体におけるＦ−Ｆ線断面図である。
【図４】本考案の装着時正面模式図である。
【図５】本考案の装着時の背面模式図である。
【図６】図５のマスク本体におけるＭ−Ｍ線断面図である。
【考案を実施するための形態】
【０００７】  本考案ファッションマスクの左右に設けた耳掛けひもを片耳ずつに掛け、マスク本体における中心部分を顔面の左右中心に合わせ、背面の一文字状の開口部を口に合わせる。マスク本体の上部及び下部を上下方向へ拡張させることにより正面のプリーツは前方へ突起し遮蔽部も拡張し、背面に設けた収納室の開口部が口型に開口されることで呼吸口が設けられる、又、フィルター素材も収納室へ装備（挿入）可能である。その場合、装着時、収納室に装備（挿入）されたフィルター素材はマスク本体の収納室に保持され、開口部は口型に開口され、予め装備（挿入）されたフィルター素材が直接呼吸口となる。
【実施例】
【０００８】  以下、添付図面に従って一実施例を説明する。尚、一度説明された符号は繰り返し説明しない。【０００９】  本考案ファッションマスク図面１を説明すると、Ｙは本考案ファッションマスク、Ｙ１はマスク本体、Ａ１は拡張時前方へ突起する形状のプリーツ、Ａ２は装着時に上方向へ拡張する前身上部、Ａ３は装着時に下方向へ拡張する前身下部、Ｇ１は左耳掛けひもであり、装着時左耳へ掛る、Ｇ２は右耳掛けひもであり、装着時右耳へ掛る、使用される耳掛けひもＧ１及びＧ２は伸縮性を持ち得たゴム製品も含めたひも形状のものとする。本考案ファッションマスクＹにおけるＴは上方向、Ｄは下方向、Ｒは右方向、Ｌは左方向。【００１０】  図面２を説明する。Ｂ１は一文字状に設けられた開口部であり、フィルター素材の挿入口でもある。Ｂ２は装着時に上方向へ拡張する上背部、Ｂ３は装着時に下方向へ拡張する下背部である。【００１１】  図面３を説明する。マスク本体Ｙ１の断面図である。ＡＢは着用時の前後方向を示し、Ａは着用時前方向、Ｂは着用時後ろ方向（口側）である。未装着時、着脱時、正面プリーツＡ１は折りたたまれ、遮蔽された拡張部Ｅ１も前身上部Ａ２及び前身下部Ａ３に重なっている、さらに、開口部Ｂ１は上背部Ｂ２及び下背部Ｂ３に突き合わされた形状で閉扉され、空気中の浮遊物の侵入を軽減する形状で衛生面にも配慮された構造を有していることがわかる。又、Ｃはフィルター素材も装備可能な収納室であり、マスク本体Ｙ１の内部全域にほぼ等しく袋状にて設けられていて、フィルター素材を挿入する際は開口部Ｂ１からのみ挿入可能なことがわかる。【００１２】  図面４を説明する。本考案ファッションマスク装着時の正面図であり、前身上部Ａ２及び前身下部Ａ３を上下方向へ拡張させることにより、プリーツＡ１は前方へ突起し、遮蔽された拡張部Ｅ１も前方へ張り出され、未装着時の形状から前身上部Ａ２及び前身下部Ａ３が上下へ湾曲し、マスク本体Ｙ１が立体型へと変化したさまがわかる。【００１３】  図面５を説明する。本考案ファッションマスク装着時の背面図であり、装着時には上背部Ｂ２及び下背部Ｂ３が上下方向へ拡張され、一文字状に設けられた開口部Ｂ１は口型に開口され呼吸口になることがわかる。未装着時の形状から背部上部Ｂ２及び背部下部Ｂ３が上下へ湾曲し、マスク本体Ｙ１は立体型へと変化したさまがわかる。【００１４】  図面６を説明する。マスク本体Ｙ１の装着時断面図である。装着時、プリーツＡ１は前方へ突起し張り出され、遮蔽された拡張部Ｅ１も拡張し、前身上部Ａ２及び前身下部Ａ３も湾曲されつつ張り出されたさまがみえる。装着時マスク本体Ｙ１は両耳掛けひもの張力により顔面方向へ引き寄せられると顔面にフィットし、口及び鼻を広く覆うことができる形状へと変化したさまがみえる。さらに、収納室Ｃの開口部Ｂ１は大きく上下へ拡張し開口され呼吸口が設けられたことがわかる。フィルター素材を挿入した場合は、そのフィルター素材が収納室Ｃに保持され呼吸口となりフィルター性能を持ち得ることもわかる。且つ、直接的にフィルター素材が呼吸口となるため通気性にも優れる。【００１５】  本考案ファッションマスクＹの一実施例は上述の如き構成からなるものであるから、フィ��ター素材を装備（挿入）せずとも顔面へ装着し使用することは勿論のこと可能であり、フィルター素材の装脱も容易であり、収納室Ｃにフィルター素材を装備（挿入）し装着した場合であっても、装備（挿入）されたフィルター素材はマスク本体Ｙ１に覆われ外観より視認できず、無装備時と変化はない、従って、マスク本体Ｙ１に使用された材料のファッション性が求められている色や模様等に影響を与えることのない形状である。更に、マスク本体Ｙ１に使用される材料により洗濯可能なため、繰り返し使用ができ、衛生面にも優れる。
【産業上の利用可能性】
【００１６】  本考案ファッションマスクは、ファッション性と機能性を同時に有することのできるファッションマスクであり、ユーザは好きな衣服を選ぶかのよう自分の好みのデザインが施された本考案ファッションマスクを選択することができるため、より購入意欲も向上される。結果、マスク販売数も増加し経済効果への貢献にも期待ができる。且つ、本考案ファッションマスクは機能性を有するマスクにもなるため、細菌、ウイルス等の感染への抑制効果もあり、大量生産し販売されることで社会的な貢献への意味をも有し、現代社会には必要不可欠であり、新しくファッション的なアイテムのカテゴリーの一つともなり得る可能性を持ちえたファッションマスクである。
【符号の説明】
【００１７】Ｙ    ファッションマスク
Ｙ１  マスク本体
Ａ１  プリーツ
Ａ２  前身上部
Ａ３  前身下部
Ｇ１  左耳掛けひも
Ｇ２  右耳掛けひも
Ｂ１  開口部
Ｂ２  上背部
Ｂ３  下背部
Ｃ    収納室
ＴＤ  上下方向
ＲＬ  左右方向
Ｔ    上方向
Ｄ    下方向
Ｒ    右方向
Ｌ    左方向
ＡＢ  前後方向
Ａ    前方向
Ｂ    後方向
Ｆ    図１断面箇所
Ｍ    図５断面箇所
Ｅ１  遮蔽拡張部
【図１】
0003229206.tif 000003
【図２】
0003229206.tif 000004
【図３】
0003229206.tif 000005
【図４】
0003229206.tif 000006
【図５】
0003229206.tif 000007
【図６】
0003229206.tif 000008